(57)【要約】【課題】管理の対象者や対象者が所持するＩＤ送信機の状態についても管理することができるようにする。【解決手段】管理の対象者により所持され、その移動局の識別情報を含む対象者情報を所定の間隔で送信する移動局１と、所定の受信区域Ａ〜Ｃに配置され、該受信区域に移動局が位置している間、移動局が送信する対象者情報を受信するとともに、該対象者情報を、これに受信区域に固有の区域識別情報を付加して送信する固定局と、固定局が送信する対象者情報を受信し、これ基づいて対象者の管理を行うための所定の処理を行う基地局５とを備えた対象者管理システムにおいて、移動局は、所定の入力がなされた場合には、対象者情報の所定間隔の送信に際し、移動局を所持する対象者又は移動局が所定の状態にあることを示す状態情報を対象者情報に含めるようにする。【選択図】図１
2010034671.tif 000002
【特許請求の範囲】
【請求項１】
管理の対象者により所持され、その移動局に固有の識別情報を含む対象者情報を所定の間隔で送信する移動局と、
所定の受信区域に配置され、該受信区域に前記移動局が位置している間、該移動局が送信する前記対象者情報を受信するとともに、該対象者情報を、これに前記受信区域に固有の区域識別情報を付加して送信する固定局と、
前記固定局が送信する対象者情報を受信し、該対象者情報に基づいて前記対象者の管理を行うための所定の処理を行う基地局とを備え、
前記移動局は、所定の入力がなされた場合には、前記対象者情報の所定間隔の送信に際し、該移動局を所持する前記対象者又は該移動局が所定の状態にあることを示す状態情報を該対象者情報に含めることを特徴とする対象者管理システム。
【請求項２】
前記移動局における所定の入力は、該移動局を所持する前記対象者による所定の操作によるものであることを特徴とする請求項１に記載の対象者管理システム。
【請求項３】
前記移動局における所定の入力は、前記所定の状態を検出する検出手段からの入力であることを特徴とする請求項１又は２に記載の対象者管理システム。
【請求項４】
前記所定の状態は、所定の異常な状態であり、
前記移動局は、前記所定の入力がなされたとき、前記異常状態にあることを示す警報音を出力することを特徴とする請求項１〜３のいずれか１項に記載の対象者管理システム。
【請求項５】
前記対象者情報に基づく所定の処理には、該対象者情報に含まれる前記状態情報に基づき、前記対象者又は該移動局が所定の状態にあることを報知する処理が含まれることを特徴とする請求項１〜４のいずれか１項に記載の対象者管理システム。
【請求項６】
前記対象者情報に基づく所定の処理には、前記基地局に接続されているネットワークを介して、該対象者情報を配信する処理が含まれることを特徴とする請求項１〜５のいずれか１項に記載の対象者管理システム。
【請求項７】
前記固定局及び基地局間の通信は無線により行われることを特徴とする請求項１〜６のいずれか１項に記載の対象者管理システム。
【請求項８】
前記基地局は、前記固定局に対して所定の送信要求を送る送信要求手段を備え、
前記固定局は前記移動局から受信した対象者情報を蓄積する蓄積手段を備え、前記基地局からの送信要求を受信する毎に、その間に前記蓄積手段により蓄積した対象者情報を、これに前記区域識別情報の付加を行い、前記基地局に送信するものであることを特徴とする請求項７に記載の対象者管理システム。
【発明の詳細な説明】
【技術分野】
【０００１】
本発明は、対象者が所持する移動局からの対象者に関する情報を固定局により受信して基地局に送り、基地局において該情報に基づく前記対象者の管理を行うための所定の処理を行う対象者管理システムに関する。
【背景技術】
【０００２】
図２はこのような従来の対象者管理システムの構成を示すブロック図である。同図に示すように、このシステムは、管理の対象者によって保持されるＩＤ送信機２１、ＩＤ送信機２１が送信する該送信機に固有のＩＤデータを各受信区域Ａ〜Ｃにおいてそれぞれ受信する無線受信機２２、各無線受信機２２に接続された演算装置２３、演算装置２３が必要な情報の表示を行うための表示装置２４、及び演算装置２３が必要な各種報知を行うための各種報知装置２５を備える。受信区域Ａ、Ｂ、又はＣ毎に異常のレベルが設定されている。無線受信機２２はそのＩＤ信号をたとえば１秒間隔で送信する。演算装置２３は各対象者が保持するＩＤ送信機２１のＩＤデータに対応付けられて各対象者に関する情報が登録されているデータベースを参照することができる。
【０００３】
この構成において、対象者が受信区域Ａ、Ｂ、又はＣに移動すると、その受信区域Ａ、Ｂ、又はＣの無線受信機２２が対象者のＩＤ送信機２１からＩＤ信号を受信する。このＩＤ信号は演算装置２３に送られる。演算装置２３はこのＩＤ信号、及びそれがどの受信区域Ａ、Ｂ、又はＣにおいて受信されたかに基づき、上記異常のレベル設定やデータベースを参照し、必要な表示や報知を、表示装置２４及び各種報知装置２５により行うことができる。このようなシステムは、たとえば特許文献１において開示されている。
【０００４】
【特許文献１】特開２００４−２１４２２号公報
【発明の開示】
【発明が解決しようとする課題】
【０００５】
しかしながら、上述従来のシステムによれば、演算装置２３は各対象者が受信区域Ａ、Ｂ、又はＣに進入したかどうかに基づいて、各種報知や表示を行うことはできるが、対象者自身やＩＤ送信機２１が異常な状態にあるかどうか、又は対象者自身が異常な状態に至ったことを認識したかどうかまでは管理することができない。
【０００６】
また、ＩＤ送信機２１及び演算装置２３間を有線で接続しているので、無線受信機２２の設置場所が制約される。また、受信区域の変更を容易に行うことができない。
【０００７】
本発明の目的は、このような従来技術の問題点に鑑み、対象者管理システムにおいて、対象者や対象者が所持するＩＤ送信機２１の状態についても管理することができるようにすることにある。
【課題を解決するための手段】
【０００８】
この目的を達成するため、第１の発明に係る対象者管理システムは、管理の対象者により所持され、その移動局に固有の識別情報を含む対象者情報を所定の間隔で送信する移動局と、所定の受信区域に配置され、該受信区域に前記移動局が位置している間、該移動局が送信する前記対象者情報を受信するとともに、該対象者情報を、これに前記受信区域に固有の区域識別情報を付加して送信する固定局と、前記固定局が送信する対象者情報を受信し、該対象者情報に基づいて前記対象者の管理を行うための所定の処理を行う基地局とを備え、前記移動局は、所定の入力がなされた場合には、前記対象者情報の所定間隔の送信に際し、該移動局を所持する前記対象者又は該移動局が所定の状態にあることを示す状態情報を該対象者情報に含めることを特徴とする。
【０００９】
第２の発明に係る対象者管理システムは、第１発明において、前記移動局における所定の入力は、該移動局を所持する前記対象者による所定の操作によるものであることを特徴とする。
【００１０】
第３の発明に係る対象者管理システムは、第１又は第２発明において、前記移動局における所定の入力は、前記所定の状態を検出する検出手段からの入力であることを特徴とする。
【００１１】
第４の発明に係る対象者管理システムは、第１〜第３のいずれの発明において、前記所定の状態は、所定の異常な状態であり、前記移動局は、前記所定の入力がなされたとき、前記異常状態にあることを示す警報音を出力することを特徴とする。
【００１２】
第５の発明に係る対象者管理システムは、第１〜第４のいずれかの発明において、前記対象者情報に基づく所定の処理には、該対象者情報に含まれる前記状態情報に基づき、前記対象者又は該移動局が所定の状態にあることを報知する処理が含まれることを特徴とする。
【００１３】
第６の発明に係る対象者管理システムは、第１〜第５のいずれかの発明において、前記対象者情報に基づく所定の処理には、前記基地局に接続されているネットワークを介して、該対象者情報を配信する処理が含まれることを特徴とする。
【００１４】
第７の発明に係る対象者管理システムは、第１〜第６のいずれかの発明において、前記固定局及び基地局間の通信は無線により行われることを特徴とする。
【００１５】
第８の発明に係る対象者管理システムは、第７発明において、前記基地局は、前記固定局に対して所定の送信要求を送る送信要求手段を備え、前記固定局は前記移動局から受信した対象者情報を蓄積する蓄積手段を備え、前記基地局からの送信要求を受信する毎に、その間に前記蓄積手段により蓄積した対象者情報を、これに前記区域識別情報の付加を行い、前記基地局に送信するものであることを特徴とする。
【発明の効果】
【００１６】
本発明によれば、対象者又は移動局が所定の状態にあるかどうかを認識し、管理することができる。
【発明を実施するための最良の形態】
【００１７】
図１は本発明の一実施形態に係る対象者管理システムの構成を示すブロック図である。同図に示すように、このシステムは、管理の対象者により所持されるＩＤ送信機１、所定の各受信区域Ａ〜Ｃに配置された無線受信機２、各無線受信機２に接続された無線送受信機３、各無線送受信機３との間で無線通信を行う無線送受信機４、無線送受信機４に接続された演算装置５、並びに演算装置５に接続された表示装置６及び各種報知装置７を備える。演算装置５はサーバ８を介してネットワーク網９に接続される。ネットワーク網９には演算装置１０が接続される。演算装置１０には表示装置１１が接続される。
【００１８】
ＩＤ送信機１は、その固有の識別情報として設定されているＩＤデータ及び所定の状態フラグを含む対象者データを、設定されたインターバル、たとえば１秒間隔で無線送信する。複数のＩＤ送信機１からの送信のコリジョン（衝突）を回避するために、各ＩＤ送信機１における送信インターバルは、ランダムとされ、又はＩＤ送信機１毎に異なるものとされる。各無線送受信機３から無線送受信機４への送信タイミングについても、タイミングをずらしてコリジョンが防止される。
【００１９】
所定の状態フラグは、管理対象者又はＩＤ送信機１が所定の異常状態にあるかどうかを示すものである。異常状態にあるかどうかは、管理対象者自らが決定する場合と、所定のセンサにより決定される場合がある。ＩＤ送信機１はスイッチ１２及びスピーカ１３を備え、スイッチ１２が管理対象者による操作や所定のセンサからの信号に基づいてオン状態となった場合には、上述の状態フラグをオンにするとともに、管理対象者又はＩＤ送信機１が所定の異常状態にある旨を通知するためのアラームメロディをスピーカ１３から出力する。所定のセンサとしては、たとえば、管理対象者がタッチしたときに検出信号を出力するタッチセンサや、管理対象者やＩＤ送信機１に所定の衝撃が加わったときに検出信号を出力する衝撃センサ、管理対象者にセットされた血圧センサや脈拍センサ、ＩＤ送信機１のバッテリの残容量を検出するセンサが該当する。所定の異常状態としては、たとえば現在位置がわからなくなった、つまり迷子になった状態や、ＩＤ送信機１のバッテリが無くなりなりそうな状態が該当する。
【００２０】
無線受信機２は常にＩＤ送信機１からの対象者データの受信待ち状態にあり、対象者データを受信すると、対応する無線送受信機３に送る。無線送受信機３は送られてくる対象者データを蓄積し、無線送受信機４からの送信要求を受信する毎に、無線送受信機４に送信する。つまり、前回の送信要求に応じて送信を行った時点以降に蓄積された対象者データが一括して、今回の送信要求に応じて送信されることになる。蓄積された対象者データの送信に際しては、対応する受信区域Ａ、Ｂ又はＣに固有の識別情報として、区域番号が該蓄積データに対して付加される。
【００２１】
無線送受信機４は、所定の間隔で上述の送信要求を各無線送受信機３に順次送出し、各無線送受信機３から、前回の送信要求から今回の送信要求までに蓄積した対象者データを受信し、演算装置５に転送する。演算装置５は転送された区域番号を含む対象者データを記憶装置に保管するとともに、表示装置６により所定の形式で表示する。その際、演算装置５は各管理対象者が保持するＩＤ送信機１のＩＤデータに対応付けられて各管理対象者に関する情報が登録されているデータベースを参照することができる。
【００２２】
演算装置５は、また、転送された対象者データ及び区域番号をネットワーク網９を介して、演算装置１０に配信するとともに、該対象者データに基づき各種報知装置７を動作させる。その際、対象者データに含まれる状態フラグがオフの場合には、異常のないことを示す態様で動作させる。状態フラグがオンの場合には異常事態を示す態様で動作させる。なお、演算装置５において保管された対象者データ及び区域番号は、後で管理対象者の受信区域Ａ〜Ｃにおける移動状況や状態を確認する等のために役立てられる。
【００２３】
この構成において、たとえば管理対象者Ｘに注目し、管理対象者Ｘが受信区域Ａに侵入したとすると、管理対象者Ｘが保持するＩＤ送信機１からの対象者データが、受信区域Ａの無線受信機２によりたとえば１秒毎に受信され、無線送受信機３において蓄積される。このとき、スイッチ１２がオンとされていない場合には、各対象者データ中の状態フラグはオフとなっている。なお、受信区域Ａの無線送受信機３において蓄積される対象者データには、管理対象者Ｘの対象者データのほか、そのときに受信区域Ａに居る他の管理対象者に係るものも含まれる。
【００２４】
その後、管理対象者Ｘの対象者データは蓄積された他の管理対象者の対象者データとともに、無線送受信装置４からの送信要求に応じ、受信区域Ａの区域番号が付加され、無線受信装置４を経て演算装置５に転送され、さらにネットワーク網９を介して演算装置１０にも転送される。転送された管理対象者Ｘの対象者データ及び受信区域Ａに居る他の管理対象者の対象者データは受信区域Ａに存在するものとして、表示装置６及び１１において表示される。このとき、他の受信区域Ｂ及びＣに係る対象者データについても、同様の表示が行われる。
【００２５】
この間に、管理対象者Ｘによる操作やセンサからの検出信号に基づいて管理対象者Ｘが所持するＩＤ送信機１のスイッチ１２がオン状態になったとすると、ＩＤ送信機１により異常事態を通知するアラームメロディがスピーカ１３から出力される。また、演算装置５や１０に対して転送される対象者データにおける状態フラグはオン状態となり、異常事態を表すものとなる。これに応じ、演算装置５は受信区域Ａの無線受信装置４からのかかる対象者データを受け取った時点で、各種報知装置７により、異常事態を示す報知を行うとともに、管理対象者Ｘが異常である旨を表示装置６において表示する。
【００２６】
図３は表示装置６における表示例を示す。同図（ａ）においては、前回の送信要求を発した時刻「１０時３８分００秒」から今回の送信要求を発した時刻「１０時３８分１０秒」までに蓄積され、今回の送信要求により得られた対象者データに基づく表示が行われている。この表示においては、受信区域Ａの無線送受信機３から得られた対象者データ及び付随する区域番号に基づき、受信区域Ａの区域名「区域Ａ」、受信区域Ａに居る管理対象者Ｘ及びＹの名称「対象者Ｘ」及び「対象者Ｙ」、並びにこれらの管理対象者又はそのＩＤ送信機が正常である旨を示す「正常」が表示されている。管理者はこの表示により管理対象者である「対象者Ｘ」及び「対象者Ｙ」が現在、受信区域Ａに居り、これらの管理対象者又はそのＩＤ送信機が正常であることを確認することができる。なお、同図には、今回の送信要求により得られた他の受信区域Ｂ及びＣについても同様の情報が表示されている。つまり、受信区域Ｂには管理対象者Ｚが居り、正常であり、受信区域Ｃには誰も居ないことを確認することができる。
【００２７】
前回の送信要求「１０時３８分００秒」から今回の送信要求「１０時３８分１０秒」までの間、たとえば「１０時３８分０７秒」において管理対象者Ｘがスイッチ１２を押下した場合には、図３（ｂ）のように、管理対象者Ｘについては所定の異常状態となったことを示す「異常」及びそれに至った時刻「１０：３８：０７」が表示される。また、「１０時３８分０１秒」において管理対象者Ｙが受信区域Ａから受信区域Ｂに移動した場合には管理対象者Ｙが「区域Ｂ」に移動した旨を示す「移動」及び移動した時刻「１０：３８：０１」が表示される。また、また、「１０時３８分０８秒」において管理対象者Ｚが受信区域Ｂから出てゆき、他の受信区域Ａ及びＣに移動したのでもない場合には、管理対象者Ｚが受信区域Ａ〜Ｃから出ていった旨を示す「進出」及び出ていった時刻「１０：３８：０８」が表示される。また、管理対象者Ｗが受信区域Ｃに、受信区域Ａ〜Ｃ以外の場所から進入した場合には、そのことを示す「進入」が、進入時点の時刻「１０：３８：０５」とともに表示される。この図３ような表示により、管理者は管理対象者の受信区域Ａ〜Ｃにおける位置や、その変化、さらには管理対象者やＩＤ受信機１が所定の異常状態にあるかどうかを把握し、管理することができる。
【００２８】
本実施形態によれば、管理対象者が所定の異常状態にあるかどうかを示す状態フラグを対象者データに含めるようにしたため、管理者は、管理対象者がどの受信区域Ａ〜Ｃにいるかを管理することができることに加え、管理対象者が所定の異常状態にあるかどうかを表示装置６や各種報知装置７を介して認識し、管理することができる。
【００２９】
また、対象者データ及び対応する区域番号をネットワーク網９を介して他の演算装置１０にも配信するようにしたため、演算装置１０においても管理対象者が受信区域Ａ、Ｂ又はＣのいずれかに侵入したかどうかや、管理対象者が異常状態にあるかどうかを認識し、管理することができる。
【００３０】
また、無線受信機２から演算装置５への対象者データの転送を、無線送受信機３及び無線送受信機４を介して、無線により行うようにしたため、次のような効果を得ることができる。すなわち、無線受信機２を演算装置５から独立させることができる。有線により転送を行うためのインフラを整備することができない環境においても、容易に対象者管理システムを設置し、管理対象者の管理を行うことができる。受信区域の増設や変更を容易に行うことができる。商用電源が無い場所においても対象者管理システムの設置を行い、管理対象者の管理を行うことができる。また、受信区域の仮設を容易に行うことができる。
【００３１】
なお、本発明は上述実施形態に限定されることなく、適宜変形して実施することができる。たとえば、上述図３においては、送信要求毎に、かつ受信区域毎に管理対象者の存在の有無、異常の有無、及び位置的変化の態様（「移動」、「進出」、「進入」）を表示するようにしているが、この代わりに、管理対象者毎に、その存在する受信区域、異常の有無、及び位置的変化の態様を表示するようにしてもよい。
【００３２】
また、上述においては、ＩＤ送信機１からの対象者データの送信は設定されたインターバルにより行うようにしているが、その間にスイッチ１２及び状態フラグがオンとなり、異常状態の発生をＩＤ送信機１が認識した場合には、前記インターバルによる送信時点が到来するの待たずに、直ちに対象者データの送信を行うとともに、その後は、異常状態発生時用のものとして設定された、前記インターバルよりも短いインターバルにより対象者データの送信を行うようにしてもよい。
【００３３】
また、上述においては、無線送受信機３は、無線送受信機４からの送信要求に応じて、前回の送信要求から今回の送信要求までの間に蓄積した対象者データを送信するようにしているが、その間に、状態フラグがオンとなっている対象者データを受信した場合には、無線送受信機３は送信要求を待つことなく、異常状態発生時用に設定されたタイミングにおいて、それまでに蓄積した対象者データを無線送受信機４に送信し、無線送受信機４がこれを受信するようにしてもよい。
【図面の簡単な説明】
【００３４】
【図１】本発明の一実施形態に係る対象者管理システムの構成を示すブロック図である。
【図２】従来の対象者管理システムの構成を示すブロック図である。
【図３】図１のシステムにおける表示装置における表示例を示す図である。
【符号の説明】
【００３５】
１，２１：ＩＤ送信機、２，２２：無線受信機、３，４：無線送受信機、５，１０，２３：演算装置、６，１１，２４：表示装置、７，２５：各種報知装置、８：サーバ、９：ネットワーク網。
【図１】
2010034671.tif 000003
【図２】
2010034671.tif 000004
【図３】
2010034671.tif 000005